(57)【要約】【課題】放熱効率を高め、簡単な構造で維持修理及び設置が簡単な発光装置を提供する。【解決手段】平板状に備えられ、扁平で、互いに対向した第１面１１及び第２面１２を有し、第１面１１は、中央に位置した発光領域Ｅと発光領域Ｅの周縁部に位置した支持領域Ｓとを有し、第２面１２は、設置位置に沿うように備えられた第１ケーシング１と、第１ケーシング１の発光領域Ｅに配設された複数の発光素子３と、第１ケーシング１の第１面１１の支持領域Ｓに結合される第２ケーシング２と、を含む発光装置である。【選択図】図２
2010258457.tif 000002
【特許請求の範囲】
【請求項１】
平板状に備えられ、扁平で、互いに対向する第１面及び第２面を有する第１ケーシングであって、前記第１面は、中央部に位置する発光領域と前記発光領域の周縁部に位置する支持領域とを有し、前記第２面は設置位置に沿うように備えられている第１ケーシングと、
前記第１ケーシングの発光領域に配設された複数の発光素子と、
前記第１ケーシングの第１面の支持領域に結合される第２ケーシングと、を含む発光装置。
【請求項２】
前記第１ケーシングは、
平板状のベースと、
前記ベースの一面に形成された複数のパッドと、を含み、
前記発光素子は、前記パッドに形成されたことを特徴とする請求項１に記載の発光装置。
【請求項３】
前記ベースは、金属材料で形成され、
前記ベースと前記複数のパッドとの間に形成された第１絶縁膜と、前記各パッド間に備えられた第２絶縁膜と、を含むことを特徴とする請求項２に記載の発光装置。
【請求項４】
前記第２ケーシングは、
前記第１ケーシングの前記第１面の前期支持領域に結合される支持部材と、
前記支持部材の前記第１ケーシングに結合される面の反対側の面に結合される対向部材と、を含むことを特徴とする請求項１に記載の発光装置。
【請求項５】
前記支持部材は、複数の通気孔を含むことを特徴とする請求項４に記載の発光装置。
【請求項６】
前記通気孔は、前記第１ケーシングに近く位置する第１通気孔と前記対向部材に近く位置する第２通気孔とを含むことを特徴とする請求項５に記載の発光装置。
【請求項７】
前記発光領域は、
第１色相の光を発光する第１発光素子が配設された第１発光領域と、
第２色相の光を発光する第２発光素子が配設された第２発光領域と、を含み、
前記第１発光領域及び前記第２発光領域は、独立して駆動されることを含むことを特徴とする請求項１に記載の発光装置。
【発明の詳細な説明】
【技術分野】
【０００１】
本発明は、発光装置に係り、さらに詳細には、平板型発光装置に関する。  
【背景技術】
【０００２】
照明器具としての発光装置は、最近、多様な発光素子の開発によって、さらに多様な形態の装置に発展している。特に、ＬＥＤ（Ｌｉｇｈｔ  Ｅｍｉｔｔｉｎｇ  Ｄｉｏｄｅ）を搭載した平板型発光パネルを照明器具に活用することによって、さらに高い輝度と効率とを実現している。
【０００３】
ところで、このようなＬＥＤを搭載した平板型照明器具の場合、ＬＥＤチップから発熱が大きいため、照明器具全体温度が非常に極めて高くなる。このような高温現象は、照明器具全体の寿命を短縮させるおそれがある。
【０００４】
また、ＬＥＤ照明器具は、設置後の維持修理が難しい問題がある。すなわち、一般の蛍光ランプ照明器具の場合、蛍光ランプに異常がある場合、簡単にランプのみを取り替えればいいので、維持修理が非常に容易である。しかし、従来のＬＥＤ照明器具は、その構造が複雑であるために、ＬＥＤチップの一部が故障した場合であっても、器具全体を分解して、チップの装着された基板を取替え、その基板の回路を連結しなければならない。したがって、ＬＥＤ装置の専門家でなければ、一般の蛍光ランプのような簡単な修理が難しい。  
【発明の概要】
【発明が解決しようとする課題】
【０００５】
本発明は、前記問題点を解決するために案出されたものであって、放熱効率を高めた発光装置を提供するところにその目的がある。
本発明の他の目的は、簡単な構造によって維持修理及び設置が容易な発光装置を提供することである。  
【課題を解決するための手段】
【０００６】
前記目的を達成するために本発明は、平板状に備えられ、扁平で、互いに対向した第１面及び第２面を有し、前記第１面は、中央に位置した発光領域と、前記発光領域の周縁部に位置した支持領域を有し、前記第２面は、設置位置に向かうように備えられた第１ケーシングと、前記第１ケーシングの発光領域に配設された複数の発光素子と、前記第１ケーシングの第１面の支持領域に結合される第２ケーシングと、を含む発光装置を提供する。
【０００７】
本発明の他の特徴によれば、前記第１ケーシングは、平板状のベースと、前記ベースの一面に形成された複数のパッドと、を含み、前記発光素子は、前記パッドに形成しうる。
本発明のさらに他の特徴によれば、前記ベースは金属材料で形成され、前記ベースとパッドとの間に介在された第１絶縁膜と、前記各パッド間に備えられた第２絶縁膜とを含むことができる。
【０００８】
本発明のさらに他の特徴によれば、前記第２ケーシングは、前記第１ケーシングの第１面の支持領域に結合される支持部材と、前記支持部材の前記第１ケーシングに結合される面の反対面に位置する対向部材と、を含むことができる。
【０００９】
本発明のさらに他の特徴によれば、前記支持部材は、複数の通気孔を含みうるが、前記通気孔は、前記第１ケーシングに近く位置した第１通気孔と、前記対向部材に近く位置した第２通気孔とを含むことができる。
【００１０】
本発明のさらに他の特徴によれば、前記発光領域は、第１色相の光を発光する第１発光素子が配設された第１発光領域と、第２色相の光を発光する第２発光素子が配設された第２発光領域と、を含み、前記第１発光領域及び第２発光領域は、独立して駆動されうる。
【発明の効果】
【００１１】
本発明によれば、照明器具として好適に使用することができる簡単な機構的構成を提供できる。その結果、使用者の設置及び維持修理が非常に簡便になる。また、金属材料ベース、通気孔によって放熱特性に優れているので、耐久性を確保し、これにより、寿命が延ばすことができる。さらに、故障などが発生した場合、発光素子が搭載されている第１ケーシングのみを取替えればよいので、維持修理がさらに簡便である。第１ケーシングの支持領域を設置部に直接設置するか、通気孔にフックなどを利用して設置することによって、設置がさらに簡便になる。さらに、第１発光領域と第２発光領域とが独立して駆動されることによって、１つの照明器具で、多数の照明器具を使用するような効果が得られる。
【図面の簡単な説明】
【００１２】
【図１】本発明の望ましい一実施形態による発光装置の分解斜視図である。
【図２】図１の発光装置を設置部に装着した状態での断面を示す断面図である。
【図３】本発明の望ましい他の一実施形態による発光装置の断面図である。
【図４】本発明の望ましいさらに他の一実施形態による発光装置の第１ケーシングの平面図である。
【図５】本発明の望ましいさらに他の一実施形態による発光装置の分解斜視図である。
【図６】図５の発光装置を設置部に装着した状態での断面を示す断面図である。
【発明を実施するための形態】
【００１３】
以下、添付した図面を参照して本発明による望ましい実施形態についてさらに詳細に説明する。図１は、本発明の望ましい一実施形態による発光装置の分解斜視図であり、図２は、図１の発光装置を天井のような設置部５に装着した状態での断面を示す断面図である。
【００１４】
図１及び図２を参照すれば、本発明の望ましい一実施形態にかかる発光装置は、第１ケーシング１、第２ケーシング２及び複数の発光素子３を含む。第１ケーシング１は、平板状に備えられる。この第１ケーシング１は、互いに対向した第１面１１と第２面１２を有するが、第１面１１は、その上に複数の発光素子３が装着された面であり、第２面１２は、第１面１１の反対側の面である。
【００１５】
前記第１ケーシング１の第１面１１は、発光領域Ｅと支持領域Ｓとに区画される。図１において、前記発光領域Ｅは、第１面１１の中央部に位置し、前記支持領域Ｓは、前記発光領域Ｅの周縁部に発光領域Ｅを取り囲むように位置する。
【００１６】
前記発光領域Ｅには、図２からわかるように、導電性素材によりパッド部１４が形成され、このパッド部１４に発光素子３が装着される。前記各発光素子３としては、ＬＥＤチップを含むＬＥＤパッケージモジュールを用いることができる。そして、前記支持領域Ｓには、第２ケーシング２が結合される。
【００１７】
本発明の望ましい一実施形態によれば、前記第１ケーシング１は、図２から分るように、ベース１０と、ベース１０の一面に形成された絶縁膜１３及び絶縁膜１３上にパターニングにより形成されたパッド１４からなる積層構造を有する。
【００１８】
本発明の望ましい一実施形態によれば、前記ベース１０としては、アルミニウムのような金属材料で形成されることが望ましいが、熱伝導度の高い金属材料が望ましい。これは、発光素子３から発散される熱を、前記ベース１０を介して直ちに外部に排熱させることによって、発光装置全体の放熱性を高めるためのものである。また、ベース１０が金属材料で形成された場合、剛性を十分に高くできるために、ケーシングとしての機能を十分に有する。しかし、前記ベース１０として、絶縁性部材をも使用できるということは言うまでもない。この場合、ベース１０の剛性を十分に高くすることが望ましい。
【００１９】
前記絶縁膜１３は、前記ベース１０の一面に形成され、ベース１０の一面を電気的に絶縁させる。このような絶縁膜１３としては、有機膜や無機膜どちらでも適用可能である。前記絶縁膜１３上にはＣｕのような導電性素材からなるパッド部１４をパターニングする。このパッド部１４は、発光領域Ｅにのみ形成し、支持領域Ｓには形成しない。もちろん、パッド部１４から延設される端子は、支持領域Ｓにも形成してもよい。前記パッド部１４は、所定数の発光素子３を一単位にまとめて発光させるようにパターニングすることが望ましい。
【００２０】
前記パッド部１４同士の間は、第２絶縁膜１５により絶縁させる。第２絶縁膜１５は、パターニングされたパッド部１４を覆うように形成した後、パッド部１４を露出させるようにパターニングされる。前記各パッド部１４上には、各々発光素子３が実装される。発光素子３には、前述したようにＬＥＤパッケージモジュールを使用できる。このように第１ケーシング１の発光領域Ｅを構成した後には、第１ケーシング１の支持領域Ｓに第２ケーシング２を接合する。第２ケーシング２は、支持部材２１と対向部材２４とを含む。
【００２１】
前記支持部材２１は、図１及び図２から分るように、第１ケーシング１の支持領域Ｓの形状に対応する平面形状を有するように形成され、第１ケーシング１の第１面１１から垂直方向に延びる側壁２１を有する。したがって、図１のように四角板状の第１ケーシング１の場合には、前記側壁２１も全体として四角形をなしつつ延設されている。
【００２２】
前記のように支持部材２１は少なくともその内面が光反射可能に形成されて、発光領域Ｅの発光素子３の光効率を極大化する。本発明にかかる発光装置は、このように第２ケーシング２を形成するケーシング自体が反射板としての機能を果たすので、追加的な反射板構造は不要であって、さらに簡単な構造を提供しうる。
【００２３】
前記支持部材２１は、第１ボルト部材４１により第１ケーシング１の支持領域Ｓに結合されうる。前記支持部材２１の上面２２には対向部材２４が結合される。前記対向部材２４は、発光領域Ｅ全体を覆うのに十分な面積を持たせ、光透過可能な材質で形成することが望ましい。前記対向部材２４は、第２ボルト部材４２により支持部材２１の上面２２に結合される。
【００２４】
一方、前記支持部材２には、その側面に第１通気孔２３が形成される。この第１通気孔２３は、第１ケーシング１上に結合された第２ケーシング２の内部と外部との間で空気が流通するようにする機能を果たす。この機能により、外部空気によって発光素子３の冷却が促進される。
【００２５】
一方、図２から分るように、天井のような設置部５には、あらかじめフック５２が設けることができるが、このフック５２の水平突起５３を前記第１通気孔２３に挟むことによって、本発明の発光装置は設置部５に簡単に固定することができる。したがって、使用者が本発明の発光装置を設置部５に設置するのが非常に容易になり、維持修理のための分離も容易である。
【００２６】
図３は、本発明の望ましい他の一実施形態による発光装置の断面を示すものであって、前記第１通気孔２３以外に第２通気孔２５をさらに備えてもよい。第２通気孔２５は、対向部材２４により近く位置し、前記第１通気孔２３はフック５２にかかって固定しやすく、第１ケーシング１にさらに近くに位置する。
【００２７】
この場合、前記発光装置を天井に設置した場合には、第１通気孔２３と第２通気孔２５とが上下に位置した構造を示すために、自然対流現象により第２ケーシング２の内部の熱排熱できる。したがって、発光素子３からの熱が効率よく外部に排熱されて耐久性を向上させることができる。
【００２８】
図４は、本発明の望ましいさらに他の一実施形態による第１ケーシング１の第１面１１を示す平面図である。本実施形態によれば、第１面１１は、第１発光領域Ｅ１及び第２発光領域Ｅ２を有する。すなわち、図４から分るように、中央に第２発光領域Ｅ２を中心に両側に第１発光領域Ｅ１が配される。この第１発光領域Ｅ１には、第１色相を発光する第１発光素子３１が実装され、第２発光領域Ｅ２には第２色相を発光する第２発光素子３２が実装される。第１発光素子３１は、白色を発光させる白色ＬＥＤモジュールとなり、第２発光素子３２は黄色を発光させる黄色ＬＥＤモジュールとすることができる。この際、前記のような第１発光領域Ｅ１及び第２発光領域Ｅ２は、互いに別々に駆動されるようにする。支持領域Ｓは、全体第１発光領域Ｅ１及び第２発光領域Ｅ２を取り囲むように位置する。
【００２９】
このように発光領域が区画された場合、使用者は所望の色相の照明を簡単な操作により得ることができる。もちろん、前記第１発光領域Ｅ１の第１発光色と第２発光領域Ｅ２の第２発光色とを同一にすることもできる。この場合にも、第１発光領域Ｅ１と第２発光領域Ｅ２は、別個のスイッチにより動作されるようにすることによって、使用者は一つの発光装置で複数の発光装置を使用するような効果が得られる。
【００３０】
図５及び図６は、本発明の望ましいさらに他の一実施形態による発光装置の分解斜視図及び断面図である。この場合、発光領域Ｅは、楕円形の領域であり、支持領域Ｓは発光領域Ｅの外側に位置する。
【００３１】
第２ケーシング２の支持部材２１も発光領域Ｅの外郭周縁部の形状に対応する形状に形成され、対向部材２４も発光領域Ｅの外郭周縁部の形状に対応するように形成される。この際、第１ケーシング１の支持領域Ｓのうち、各コーナーに該当する部分には、締結孔１６が形成されて、図６からわかるように設置部５に第３ボルト部材４３で直接第１ケーシング１を固定できる。したがって、設置部５には、フックなどがあらかじめ設ける必要がない。
【００３２】
以上は、前記第１ケーシング１が四角板状である場合を示したが、本発明が必ずしもこれに限定されるものではなく、第１ケーシング１の平面形状は、本発明の発光装置の適用態様によって円形、多角形など多様に変形可能であり、これにより、第２ケーシング２の支持部材２１及び対向部材２４の形状も可変にしてよいことはいうまでもない。
【００３３】
以上、前記本発明の望ましい実施形態を参照して説明したが、当該技術分野の熟練した当業者ならば、下記の特許請求の範囲に記載の本発明の思想及び領域から外れない範囲内で、本発明の多様な修正及び変更が可能であることを理解できる。
【符号の説明】
【００３４】
１      第１ケーシング
２      第２ケーシング
３      発光素子
５      設置部
１０      ベース
１１      第１面
１２      第２面
１３      絶縁膜
１４      パッド部
１５      第２絶縁膜
１６      締結孔
２１      支持部材
２３      第１通気孔
２４      対向部材
２５      第２通気孔
３１      第１発光素子
３２      第２発光素子
４１      第１ボルト部材
４２      第２ボルト部材
４３      第３ボルト部材
２２      支持部材の上面
５２      フック
５３      フックの水平突起
Ｅ      発光領域
Ｓ      支持領域
【図１】
2010258457.tif 000003
【図２】
2010258457.tif 000004
【図３】
2010258457.tif 000005
【図４】
2010258457.tif 000006
【図５】
2010258457.tif 000007
【図６】
2010258457.tif 000008